【手続補正書】
【提出日】平成19年1月24日(2007.1.24)
【手続補正１】
【補正対象書類名】特許請求の範囲
【補正対象項目名】全文
【補正方法】変更
【補正の内容】
【特許請求の範囲】
【請求項１】
露光から現像の間に要する時間が２００ｍｓｅｃ以下である電子写真装置用の、支持体及び該支持体上の感光層を有する電子写真感光体において、
該電子写真感光体の表面層が電荷輸送物質及びバインダー樹脂を含有し、
該電子写真感光体の表面層のガラス転移温度が９５℃以上であり、
該感光層の２×１０５Ｖ／μｍの電界強度における電荷移動度が１×１０−７ｃｍ２／Ｖ・ｓｅｃ以上である
ことを特徴とする電子写真感光体。
【請求項２】
前記電子写真感光体の表面層のガラス転移温度が１５０℃以上である請求項１に記載の電子写真感光体。
【請求項３】
前記感光層の２×１０５Ｖ／μｍの電界強度における電荷移動度が、２×１０−６ｃｍ２／Ｖ・ｓｅｃ以上である請求項１または２に記載の電子写真感光体。
【請求項４】
前記電荷輸送物質が、下記式（１）で示される繰り返し構造単位を有している請求項１〜３のいずれかに記載の電子写真感光体。
【化１】
2005241973.tif 000001
（式（１）中、Ａｒ１１は、置換または無置換の１価の芳香族炭化水素環基、または、置換または無置換の１価の芳香族複素環基を示す。Ａｒ１２は、下記式（２）、下記式（２）’および下記式（２）’’からなる群より選択される式で示される構造を有する２価の基を示す。
【化２】
2005241973.tif 000002
【化３】
2005241973.tif 000003
【化４】
2005241973.tif 000004
（式（２）中、Ａｒ２１およびＡｒ２２は、それぞれ独立に、置換または無置換の３価の芳香環基、または、置換または無置換の３価の複素環基を示す。Ａ２１、Ａ２２は、それぞれ独立に、単結合、あるいは水素、置換または無置換のアルキレン基、置換または無置換のアリーレン基、置換または無置換のアルキレンオキシ基、電子吸引基を有する１４族元素、電子吸引基を有する１５族元素、あるいは、１６族元素を示す。ｃは、０または１を示す。
式（２）’中、Ａｒ２１’およびＡｒ２２’は、それぞれ独立に、置換または無置換の２価の芳香環基、または、置換または無置換の２価の複素環基を示す。Ａ２１’は、水素原子、置換または無置換のアルキレン基、置換または無置換のアリーレン基、置換または無置換のアルキレンオキシ基、電子吸引基を有する１４族元素、電子吸引基を有する１５族元素、あるいは、１６族元素を示す。ｃ’は、１を示す。
式（２）’’中、Ａｒ２１’’は、置換または無置換の２価の芳香環基、または、置換または無置換の２価の複素環基を示す。ｃ’’は、１以上の整数を示す。ただし、ｃ’’が２以上のとき、２つ以上のＡｒ２１’’は同一であっても異なっていてもよい。））
【請求項５】
前記バインダー樹脂が熱可塑性樹脂である請求項１〜４のいずれかに記載の電子写真感光体。
【請求項６】
前記バインダー樹脂が、下記式（３）で示される繰り返し構造単位を有する樹脂である請求項１〜５のいずれかに記載の電子写真感光体。
【化５】
2005241973.tif 000005
（Ｒ１〜Ｒ８は、それぞれ独立して、水素原子、炭素数１〜３の置換または無置換のアルキル基、置換または無置換のフェニル基、または、炭素数１〜３の置換または無置換のアルコシキ基を示し、Ｘは、単結合、酸素原子、硫黄原子、または、
【化６】
2005241973.tif 000006
を示し、Ｒ９及びＲ１０は、それぞれ独立して、水素原子、炭素数１〜３の置換または無置換のアルキル基、置換または無置換のアリール基、または、Ｒ９とＲ１０が結合することによって形成される置換または無置換のアルキリデン基または置換または無置換のフルオレニリデン基を示し、Ｙは２価の有機基を示す。）
【請求項７】
前記感光層の２×１０５Ｖ／μｍの電界強度における電荷移動度が２．０×１０−７ｃｍ２／Ｖ・ｓｅｃ以上８．２×１０−６ｃｍ２／Ｖ・ｓｅｃ以下である請求項１〜６のいずれかに記載の電子写真感光体。
【請求項８】
請求項１〜７のいずれかに記載の電子写真感光体と、帯電手段、現像手段、及びクリーニング手段からなる群より選択される少なくとも１つの手段とを一体に支持し、電子写真装置本体に着脱自在であることを特徴とするプロセスカートリッジ。
【請求項９】
請求項１〜７のいずれかに記載の電子写真感光体、帯電手段、露光手段、現像手段、及び転写手段を有し、露光から現像の間に要する時間が２００ｍｓｅｃ以下であることを特徴とする電子写真装置。
【手続補正２】
【補正対象書類名】明細書
【補正対象項目名】０００１
【補正方法】変更
【補正の内容】
【０００１】
本発明は、特定の感光層を有する電子写真感光体、該電子写真感光体を有するプロセスカートリッジ及び電子写真装置に関する。
【手続補正３】
【補正対象書類名】明細書
【補正対象項目名】０００８
【補正方法】変更
【補正の内容】
【０００８】
本発明は、
［１］露光から現像の間に要する時間が２００ｍｓｅｃ以下である電子写真装置用の、支持体及び該支持体上の感光層を有する電子写真感光体において、
該電子写真感光体の表面層が電荷輸送物質及びバインダー樹脂を含有し、
該電子写真感光体の表面層のガラス転移温度が９５℃以上であり、
該感光層の２×１０５Ｖ／μｍの電界強度における電荷移動度が１×１０−７ｃｍ２／Ｖ・ｓｅｃ以上である
ことを特徴とする電子写真感光体である。
【手続補正４】
【補正対象書類名】明細書
【補正対象項目名】００１２
【補正方法】変更
【補正の内容】
【００１２】
［４］前記電荷輸送物質が、下記式（１）で示される繰り返し構造単位を有している上記［１］〜［３］のいずれかに記載の電子写真感光体。
【手続補正５】
【補正対象書類名】明細書
【補正対象項目名】００１４
【補正方法】変更
【補正の内容】
【００１４】
（式（１）中、Ａｒ１１は、置換または無置換の１価の芳香族炭化水素環基、または、置換または無置換の１価の芳香族複素環基を示す。Ａｒ１２は、下記式（２）、下記式（２）’および下記式（２）’’からなる群より選択される式で示される構造を有する２価の基を示す。
【手続補正６】
【補正対象書類名】明細書
【補正対象項目名】００１８
【補正方法】変更
【補正の内容】
【００１８】
（式（２）中、Ａｒ２１およびＡｒ２２は、それぞれ独立に、置換または無置換の３価の芳香環基、または、置換または無置換の３価の複素環基を示す。Ａ２１、Ａ２２は、それぞれ独立に、単結合、あるいは水素、置換または無置換のアルキレン基、置換または無置換のアリーレン基、置換または無置換のアルキレンオキシ基、電子吸引基を有する１４族元素、電子吸引基を有する１５族元素、あるいは、１６族元素を示す。ｃは、０または１を示す。
式（２）’中、Ａｒ２１’およびＡｒ２２’は、それぞれ独立に、置換または無置換の２価の芳香環基、または、置換または無置換の２価の複素環基を示す。Ａ２１’は、水素原子、置換または無置換のアルキレン基、置換または無置換のアリーレン基、置換または無置換のアルキレンオキシ基、電子吸引基を有する１４族元素、電子吸引基を有する１５族元素、あるいは、１６族元素を示す。ｃ’は、１を示す。
式（２）’’中、Ａｒ２１’’は、置換または無置換の２価の芳香環基、または、置換または無置換の２価の複素環基を示す。ｃ’’は、１以上の整数を示す。ただし、ｃ’’が２以上のとき、２つ以上のＡｒ２１’’は同一であっても異なっていてもよい。））
【手続補正７】
【補正対象書類名】明細書
【補正対象項目名】００２５
【補正方法】変更
【補正の内容】
【００２５】
また、本発明は、
［７］上記［１］〜［６］のいずれかに記載の電子写真感光体と、帯電手段、現像手段、及びクリーニング手段からなる群より選択される少なくとも１つの手段とを一体に支持し、電子写真装置本体に着脱自在であることを特徴とするプロセスカートリッジである。
【手続補正８】
【補正対象書類名】明細書
【補正対象項目名】００２６
【補正方法】変更
【補正の内容】
【００２６】
更に、本発明は、
［８］上記［１］〜［６］のいずれかに記載の電子写真感光体、帯電手段、露光手段、現像手段、及び転写手段を有し、露光から現像の間に要する時間が２００ｍｓｅｃ以下であることを特徴とする電子写真装置である。
【手続補正９】
【補正対象書類名】明細書
【補正対象項目名】００２８
【補正方法】変更
【補正の内容】
【００２８】
また、本発明によれば、高速プロセスであっても画像劣化の少ない電子写真画像を出力することのできる電子写真装置並びにそれに用いることのできるプロセスカートリッジを得ることができる。
【手続補正１０】
【補正対象書類名】明細書
【補正対象項目名】００３１
【補正方法】変更
【補正の内容】
【００３１】
本発明の電子写真感光体は、支持体及び該支持体上の感光層を有する電子写真感光体であって、該電子写真感光体の表面層が電荷輸送物質及びバインダー樹脂を含有し、該電子写真感光体の表面層のガラス転移温度が９５℃以上であり、該感光層の２×１０５Ｖ／μｍの電界強度における電荷移動度が１×１０−７ｃｍ２／Ｖ・ｓｅｃ以上であることを特徴としている。
【手続補正１１】
【補正対象書類名】明細書
【補正対象項目名】００３８
【補正方法】変更
【補正の内容】
【００３８】
（式（１）中、Ａｒ１１は、置換または無置換の１価の芳香族炭化水素環基、または、置換または無置換の１価の芳香族複素環基を示す。Ａｒ１２は、下記式（２）、下記式（２）’および下記式（２）’’からなる群より選択される式で示される構造を有する２価の基を示す。
【手続補正１２】
【補正対象書類名】明細書
【補正対象項目名】００４２
【補正方法】変更
【補正の内容】
【００４２】
（式（２）中、Ａｒ２１およびＡｒ２２は、それぞれ独立に、置換または無置換の３価の芳香環基、または、置換または無置換の３価の複素環基を示す。Ａ２１、Ａ２２は、それぞれ独立に、単結合、あるいは水素、置換または無置換のアルキレン基、置換または無置換のアリーレン基、置換または無置換のアルキレンオキシ基、電子吸引基を有する１４族元素、電子吸引基を有する１５族元素、あるいは、１６族元素を示す。ｃは、０または１を示す。
式（２）’中、Ａｒ２１’およびＡｒ２２’は、それぞれ独立に、置換または無置換の２価の芳香環基、または、置換または無置換の２価の複素環基を示す。Ａ２１’は、水素原子、置換または無置換のアルキレン基、置換または無置換のアリーレン基、置換または無置換のアルキレンオキシ基、電子吸引基を有する１４族元素、電子吸引基を有する１５族元素、あるいは、１６族元素を示す。ｃ’は、１を示す。
式（２）’’中、Ａｒ２１’’は、置換または無置換の２価の芳香環基、または、置換または無置換の２価の複素環基を示す。ｃ’’は、１以上の整数を示す。ただし、ｃ’’が２以上のとき、２つ以上のＡｒ２１’’は同一であっても異なっていてもよい。））
【手続補正１３】
【補正対象書類名】明細書
【補正対象項目名】００８６
【補正方法】変更
【補正の内容】
【００８６】
本発明においては、上述の電子写真感光体７、一次帯電手段９、現像手段１１及びクリーニング手段１５等の構成要素のうち、複数のものをプロセスカートリッジとして一体に結合して構成し、このプロセスカートリッジを複写機やレーザービームプリンタ等の電子写真装置本体に対して着脱可能に構成してもよい。例えば、一次帯電手段９と共に一体に支持してカートリッジ化して、装置本体のレール１８等の案内手段を用いて装置本体に着脱可能なプロセスカートリッジ１７とすることができる。
【手続補正１４】
【補正対象書類名】明細書
【補正対象項目名】０１２２
【補正方法】変更
【補正の内容】
【０１２２】
【図１】本発明の単層型感光層を有する電子写真感光体の層構成の一例を示す図である。
【図２】本発明の機能分離型感光層を有する電子写真感光体の層構成の一例を示す図である。
【図３】本発明に用いられる電子写真装置の概略構成図である。
【図４】本発明に用いられる電子写真装置の露光及び現像付近の概略構成図である。